(57)【要約】【課題】  扉に設けられた係止手段がボックス本体に係止して閉扉状態が保持されても、或いは更に施錠されても、ボックス内部から扉を開けることができるボックスの閉じ込め防止装置を提供する。【解決手段】  扉２０に設けられた施錠装置２は、施錠操作を受けてボックス本体１０に係止して扉２０の開扉を不可とする係止手段２２を有する一方、係止手段２２が係止するボックス本体１０側の扉係止部３は、ボックス本体１０内でスライド可能なスライド金具４ａに形成され、スライド金具４ａがスライド操作を受けると、係止手段２２の係止が解除されて扉２０の開放が可能となる。【選択図】  図３
2020002600.tif 000002
【特許請求の範囲】
【請求項１】
扉に施錠装置が設けられ、前記施錠装置が施錠されて外部からボックスの開操作が不可となっても、ボックス内部から開扉操作が可能なボックスの閉じ込め防止装置であって、
前記施錠装置は、施錠操作を受けてボックス本体に係止して開扉操作を不可とする係止手段を有する一方、
前記係止手段が係止するボックス本体側の扉係止部は、ボックス本体内でスライド可能なスライド部材に形成され、
前記スライド部材がスライド操作を受けると、前記係止手段の係止が解除されて前記扉の開放が可能となることを特徴とするボックスの閉じ込め防止装置。
【請求項２】
閉扉されて扉に設けられた係止手段がボックス本体に係止してボックスの閉扉状態が保持されても、前記ボックスの内部からの開扉操作が可能なボックスの閉じ込め防止装置であって、
前記係止手段が係止するボックス本体側の扉係止部は、ボックス本体内でスライド可能なスライド部材に形成されており、
前記スライド部材がスライド操作を受けると、前記係止手段の係止が解除されて前記扉の開放が可能となることを特徴とするボックスの閉じ込め防止装置。
【請求項３】
前記スライド部材は、前記ボックス本体に固定されたガイド部材に係合して上方にスライド可能に配置され、
上方へのスライド操作を受けることで、前記係止手段の係止が解除されると共に、上方にスライドした前記スライド部材は、自重で前記係止手段が係止する所定の最下位置に移動することを特徴とする請求項１又は２記載のボックスの閉じ込め防止装置。
【請求項４】
前記スライド部材は、前記ボックス本体に一端が連結された紐部材の他端が連結されており、前記紐部材による上方への引っ張り操作により前記スライド部材が上方へスライドすることを特徴とする請求項３記載のボックスの閉じ込め防止装置。
【発明の詳細な説明】
【技術分野】
【０００１】
本発明は、宅配ボックス等の施錠可能なボックスの閉じ込め防止装置に関する。
【背景技術】
【０００２】
受取人が不在であっても、宅配物を受け取ることができる宅配ボックスの普及が進んでいる。この宅配ボックスは、子供が入ることが可能なサイズが多く、閉じ込め防止装置を備えた宅配ボックスが考えられている。例えば、特許文献１の宅配ボックスでは、電気錠に扉の裏側から解錠操作するための施錠解除具を具備させ、この操作を容易に実施できるよう別途脱出揺動プレートを取り付けて、施錠解除具の操作がわからない状況でも、脱出揺動プレートを操作すればボックスの内部から電気錠の解錠を容易に行えるようにしている。
【先行技術文献】
【特許文献】
【０００３】
【特許文献１】特許第３７２４３４２号公報
【発明の概要】
【発明が解決しようとする課題】
【０００４】
上記構成の閉じ込め防止装置は、脱出揺動プレートを設けることで操作面を大きく形成できるし、押圧操作で施錠解除具の解除操作ができるため、施錠解除具の存在がわからなくても解錠を実施でき、子供であっても解除操作することが可能あった。
しかしながら、錠自体が施錠解除具を備えていることが前提であり、施錠解除具を持たない通常の施錠装置の解錠操作に適用できなかった。また、施錠されなくてもラッチレバー操作で出没するラッチ片を係止させて閉扉状態を保持させる構造のボックスの場合にも適用できなかった。
【０００５】
そこで、本発明はこのような問題点に鑑み、扉に設けられた係止手段がボックス本体に係止して扉の閉状態が保持されても、或いは更に施錠されても、ボックス内部から扉を開けることができるボックスの閉じ込め防止装置を提供することを目的としている。
【課題を解決するための手段】
【０００６】
上記課題を解決する為に、請求項１の発明は、扉に施錠装置が設けられ、施錠装置が施錠されて外部からボックスの開操作が不可となっても、ボックス内部から開扉操作が可能なボックスの閉じ込め防止装置であって、施錠装置は、施錠操作を受けてボックス本体に係止して開扉操作を不可とする係止手段を有する一方、係止手段が係止するボックス本体側の扉係止部は、ボックス本体内でスライド可能なスライド部材に形成され、スライド部材がスライド操作を受けると、係止手段の係止が解除されて扉の開放が可能となることを特徴とする。
この構成によれば、施錠装置の係止手段が係止するボックス本体側の扉係止部は、スライドさせることで係止手段の係止を解除させることができる。よって、ボックスに人が入った状態で施錠されても、施錠を解くこと無く係止手段の係止を解除して扉を開けることが可能であり、閉じ込めを防止できる。
【０００７】
請求項２の発明は、閉扉されて扉に設けられた係止手段がボックス本体に係止してボックスの閉扉状態が保持されても、ボックスの内部からの開扉操作が可能なボックスの閉じ込め防止装置であって、係止手段が係止するボックス本体側の扉係止部は、ボックス本体内でスライド可能なスライド部材に形成されており、スライド部材がスライド操作を受けると、係止手段の係止が解除されて扉の開放が可能となることを特徴とする。
この構成によれば、扉の係止手段が係止するボックス本体側の扉係止部は、スライドさせることで係止手段の係止を解除させることができるため、ボックスの内側からスライド部材を操作して係止手段の係止を解除することが可能であり、閉じ込めを防止できる。
【０００８】
請求項３の発明は、請求項１又は２に記載の構成において、スライド部材は、ボックス本体に固定されたガイド部材に係合して上方にスライド可能に配置され、上方へのスライド操作を受けることで、係止手段の係止が解除されると共に、上方にスライドしたスライド部材は、自重で係止手段が係止する所定の最下位置に移動することを特徴とする。
この構成によれば、スライド部材は持ち上げ操作を受けるとガイド部材に案内されて上方にスライドするため、スムーズに係止手段の係止を解除できる。また、持ち上げたスライド部材は自重で係止手段が係止する位置に戻るため、解除状態が維持されることが無く、施錠操作で確実に施錠できる。
【０００９】
請求項４の発明は、請求項３に記載の構成において、スライド部材は、ボックス本体に一端が連結された紐部材の他端が連結されており、紐部材による上方への引っ張り操作によりスライド部材が上方へスライドすることを特徴とする。
この構成によれば、スライド部材を直接操作しなくても、紐部材を操作することでスライド部材がスライドして係止解除できる。よって、閉じ込められて暗い状態となっても見つけ易い紐部材により簡易な操作で扉を開けることが可能となる。
【発明の効果】
【００１０】
本発明によれば、扉の係止手段が係止するボックス本体側の扉係止部は、スライドさせることで係止手段の係止を解除させることができる。よって、ボックスに人が入った状態で閉扉されても、又更に施錠されても、施錠を解くこと無く係止手段の係止を解除して扉を開けることができ、閉じ込めを防止できる。
【図面の簡単な説明】
【００１１】
【図１】本発明に係るボックスの閉じ込め防止装置の一例を示すボックスの説明図であり、天板及び背板を外しボックスを後方から見た斜視説明図である。
【図２】図１のボックスを前方から見た斜視図である。
【図３】Ａ部拡大図である。
【図４】スライド金具の分解図である。
【図５】スライド金具の分解図である。
【図６】ロックを解除した状態のＡ部拡大図である。
【図７】図１の状態からロックを解除して扉を開けた説明図である。
【発明を実施するための形態】
【００１２】
以下、本発明を具体化した実施の形態を、図面を参照して詳細に説明する。図１，２は本発明に係る閉じ込め防止装置を備えたボックスの一例を示す説明図であり、宅配ボックスに適用した場合を示している。図１は天板及び背板を外して内部を露出させたボックス１を後方から見た斜視説明図、図２はこのボックス１を前方から見た斜視図である。
【００１３】
ボックス１は前面が開放されたボックス本体１０と、開放された前面を閉塞する扉２０とで構成され、扉２０には施錠装置２が設けられている。施錠装置２は、扉２０の背部に設けられたボックス本体１０に係止する係止手段２２と、前面に設けた操作部２１とで構成されている。係止手段２２は、ラッチ片２２ａとベロ２２ｂを有し、この双方がボックス本体１０に係止して閉扉状態が保持される。
【００１４】
操作部２１には、ラッチ片２２ａを操作するラッチレバー２４、ベロ２２ｂを出没させるプッシュ錠２５が設けられている。ラッチレバー２４の操作によりラッチ片２２ａが出没し、突出することでボックス本体１０に係止して閉扉状態が保持される。
一方、プッシュ錠２５は、暗証番号を入力した後、摘まみ２６を回転させることでベロ２２ｂが回動し、ボックス本体１０に係止しロック状態となる。このロック状態は、暗証番号を入力して摘まみ２６を施錠とは逆方向に回転することで解除される。
【００１５】
但し、ここでは操作部２１及びベロ２２ｂを備えたプッシュ錠２５に、扉２０の閉状態を保持するラッチレバー２４及びラッチ片２２ａを加えて、施錠装置２としているが、ラッチレバー２４にシリンダー錠等の施錠機能を備えれば、操作部２１及びベロ２２ｂが無くとも施錠装置を構成できる。
尚、図２は、操作部２１に設けられている蓋２３を開けた状態を示している。
【００１６】
一方、ボックス本体１０には、ラッチ片２２ａとベロ２２ｂが係止する扉係止部３が設けられている。扉係止部３はボックス本体１０の開放端側に設けられている。扉２０は図２に示す右側がボックス本体１０に蝶着されており、左が開放端側となる。
【００１７】
図３はＡ部拡大図であり、施錠装置２と扉係止部３の拡大図である。図３に示すように、施錠装置２はラッチ片２２ａとベロ２２ｂを有し、それぞれがボックス本体１０の扉係止部３に係止し、閉じた扉２０はその閉扉状態が保持される。
【００１８】
図４は扉係止部３を備えた係止装置４の分解図であり、スライド金具（スライド部材）４ａ、ガイド部材４ｂ、及び紐部材４ｃにより構成されている。
スライド金具４ａは、ラッチ片２２ａ及びベロ２２ｂを係止する扉係止部３が形成されている係止面４１、ガイド部材４ｂと係合する係合案内面４２、係止解除操作する際に摘まみとなるプラスチックボール５が取り付けられた操作片４３、ボックス本体１０の前面側周囲に形成されたフレーム１１に当接する当接片４４とを有している。係止面４１は、係合案内面４２と当接片４４の間に配置され、ボックス本体１０の開放端側の側面から内部に突出するよう配置されている。
【００１９】
ガイド部材４ｂは、スライド金具４ａの上下方向の移動を案内する当接面４５と、ボックス本体１０に連結される連結面４６を有している。
このガイド部材４ｂは、スライド金具４ａの係止面４１の裏側に配置されて、スライド金具４ａの係合案内面４２に当接面４５が当接するよう配置される。
【００２０】
紐部材４ｃはボールチェーンが使用され、一端がボックス本体１０の上部に連結され、他端がスライド金具４ａの係合案内面４２の上端に形成された連結部５０に連結されている。このようにスライド金具４ａが紐部材４ｃにより垂下されているように連結されているため、紐部材４ｃを上方の引っ張りは勿論、横方向へ引いてもスライド金具４ａは上方へスライド可能となっている。
【００２１】
ラッチ片２２ａを係止する扉係止部３であるラッチ片係止部３ａは、係止面４１の内部をスリット状に切り欠いて形成されている。また、その下端にはラッチ片２２ａの係止を解除して前方への移動を可能とする切り欠き４１ａが形成されている。
【００２２】
一方、ベロ２２ｂを係止する扉係止部３であるベロ係止部３ｂは、係止面４１の下部を切り欠いて形成されている。そして、このベロ係止部３ｂの下端である係止面４１の下端４１ｂは、水平に切断されてスライド金具４ａをスライドさせた際のベロ２２ｂの前方への移動を可能としている。
【００２３】
また、スライド金具４ａの係合案内面４２には、縦方向にスライド溝４２ａが切り欠かれ、このスライド溝４２ａを介してガイド部材４ｂに２つのねじ４７が取り付けられる。このねじ４７に係合してスライド金具４ａは案内され、上下方向のスライド移動を実施するよう構成されている。尚、一方のねじ４７がスライド溝４２ａの上端に接触した状態がスライド金具４ａが最下位置に配置された状態であり、係止手段２２が扉係止部３に係止する状態となる。
【００２４】
図５はスライド金具４ａの裏面を示している。図５に示すように、プラスチックボール５は操作片４３にねじ５ａで固定される。また、当接片４４にはスライドさせる際の摩擦を小さくするためにナイロンリベット４８が取り付けられる。
【００２５】
上記の如く構成された閉じ込め防止装置は以下の様に動作する。まず、扉２０が閉じられてラッチレバー２４の操作により閉扉操作されると、施錠装置２からラッチ片２２ａが突出してボックス本体１０の係止装置４に係止し、閉扉状態が保持される。
この突出したラッチ片２２ａは、操作部２１のラッチレバー２４を操作しない限り没入することは無く、ラッチ片２２ａを押し込み操作しても施錠装置２内に没入することは無い。そのため、ボックス１内に閉じ込められた人が押し込み操作してもラッチ片２２ａは施錠装置内に没入しない。
【００２６】
但し、ラッチ片２２ａを係止しているラッチ片係止部３ａが設けられているスライド金具４ａは上方にスライドさせることができるため、スライドさせることで係止状態を解除できる。例えば、プラスチックボール５を摘まんで上方に持ち上げればスライド金具４ａは上方にスライドして係止が解除される。この解除状態で扉２０の背部を前方へ押せば、切り欠き４１ａを通ってラッチ片２２ａが前方に移動し、扉２０が開く。
また、このスライド金具４ａのスライド操作は、紐部材４ｃを上方或いは側方に引いても実施でき、係止手段２２の係止を解除できる。
【００２７】
更に、ラッチ片２２ａによる扉２０の保持に加えて、プッシュ錠２５が操作されてベロ２２ｂが回動して扉係止部３に係止して施錠（ロック）された場合でも、このスライド機構を使用すれば容易に開扉できる。
このロックされた状態、即ちラッチ片２２ａ及びベロ２２ｂがボックス本体１０に係止した状態が図３に示す状態であり、この状態からプラスチックボール５或いは紐部材４ｃを操作してスライド金具４ａを上方へスライドさせれば、ラッチ片２２ａの係止が解除されると同時にベロ２２ｂの係止も解除される。
こうしてスライド金具４ａを上方へスライドさせた状態が図６に示す状態である。よって、この状態で扉２０を押せば図７に示すように扉２０は開動作する。
【００２８】
尚、上方へスライドさせたスライド金具４ａは、スライド操作を解除すると自重で降下して元の位置、即ちラッチ片２２ａ及びベロ２２ｂを係止する位置に戻る。
【００２９】
このように、施錠装置２の係止手段２２であるベロ２２ｂ、或いは単なる扉２０の係止手段２２であるラッチ片２２ａが係止する扉係止部３は、スライドさせることで係止手段２２の係止を解除させることができる。よって、ボックス１に人が入った状態で閉扉されても、また更に施錠されても係止手段２２の係止を解除して扉２０を開けることができ、閉じ込めを防止できる。
そして、扉係止部３を備えたスライド金具４ａは、持ち上げ操作を受けるとガイド部材４ｂに案内されて上方にスライドするため、スムーズに係止手段２２の係止を解除できる。また、持ち上げたスライド金具４ａは自重で係止手段２２が係止する位置に戻るため、解除状態が維持されることが無く、施錠操作で確実に施錠できる。
加えて、スライド金具４ａを直接操作しなくても、紐部材４ｃを操作することでスライド金具４ａがスライドして係止解除できる。よって、閉じ込められて暗い状態となっても見つけ易い紐部材４ｃにより簡易な操作で扉を開けることが可能となる。
【００３０】
尚、閉扉状態ではボックス１内は暗くなるため、係止手段２２の係止を解除するためのプラスチックボール５は蛍光色とすると認識し易く、操作し易いため好ましい。また上記実施形態は、ベロ２２ｂを暗証番号で施錠／解錠するプッシュ錠２５、ラッチ片２２ａをラッチレバー２４の操作で出没する構成としているが、逆でも良い。即ち、プッシュ錠２５でラッチ片２２ａを操作しても良いし、ラッチレバー２４でベロ２２ｂを操作しても良い。
更に、ラッチ片２２ａとベロ２２ｂの双方でボックス本体１０に係止させているが、どちらか一方だけでも良く、スライド金具４ａのスライド操作で係止解除することができる。
また、施錠／解錠をプッシュ錠２５で実施しているが、施錠装置はこれに限定するもので無く、例えばシリンダー錠によりベロ２２ｂを施錠／解錠しても良い。
【産業上の利用可能性】
【００３１】
上記実施形態は、ボックスの閉じ込め防止装置を宅配ボックスに適用した場合を説明したが、他のボックスにも適用でき、例えばウォークイン形の冷蔵庫に適用できる。
【符号の説明】
【００３２】
１・・ボックス、２・・施錠装置、３・・扉係止部、３ａ・・ラッチ片係止部、３ｂ・・ベロ係止部、４・・係止装置、４ａ・・スライド金具（スライド部材）、４ｂ・・ガイド部材、４ｃ・・紐部材、１０・・ボックス本体、２０・・扉、２２（２２ａ，２２ｂ）・・係止手段。
【図１】
2020002600.tif 000003
【図２】
2020002600.tif 000004
【図３】
2020002600.tif 000005
【図４】
2020002600.tif 000006
【図５】
2020002600.tif 000007
【図６】
2020002600.tif 000008
【図７】
2020002600.tif 000009